(57)【要約】      （修正有）【課題】自動車における左右座席間、特に運転席及び助手席間の隙間に設置して、ゴミを収容可能にしたコンソール型ダストボックス付保冷温装置を提供する。【解決手段】幅狭なケーシング１の中央に開閉可能な蓋２を有する保冷温ボックス３を設け、ケーシング１内における保冷温ボックス３より前方空間にダストボックス４を、その前方下部を支点に往復揺動してケーシング１の前面開口部５に対し出没自在となる様に収容したコンソール型ダストボックス付保冷温装置を、特にウォークスルータイプの自動車における左右座席間の隙間に設置する。低いセンターコンソールの様に配置されるために運転中に倒れず、その前面開口部５より引き出されたダストボックス４内にゴミを納めることが可能になる。【選択図】図２
0003159990.tif 000002
【実用新案登録請求の範囲】
【請求項１】
幅狭なケーシングの中央に開閉可能な蓋を有する保冷温ボックスを設け、ケーシング内における保冷温ボックスより前方空間にダストボックスを、その前方下部を支点に往復揺動してケーシングの前面開口部に対し出没自在となる様に収容したことを特徴とするコンソール型ダストボックス付保冷温装置。
【請求項２】
ケーシングに対しダストボックスを着脱自在としたことを特徴とする請求項１記載のコンソール型ダストボックス付保冷温装置。
【考案の詳細な説明】
【技術分野】
【０００１】
本考案は、特にウォークスルータイプの自動車における左右座席間、特に運転席及び助手席間の隙間に設置して、ゴミを収容可能にしたコンソール型ダストボックス付保冷温装置に関する。
【背景技術】
【０００２】
従来、自動車内で飲食物を保冷・保温する装置は、自動車のエアコンの吹き出し口に着脱可能に取付ける接続アタッチメントと、クーラボックスと、前記接続アタッチメントとクーラボックスを接続するホースとからなり、クーラボックスにホースの接続口と空気排出口を設けて、自動車のエアコン吹き出し口を利用して各種飲物や食物を保冷保温する様にしたものが見受けられる。
【０００３】
そして、収容された飲食物を自動車内で飲食した後のゴミは、足元に置いたゴミ箱に内に収容するのが望ましいが、車体側にしっかり固定されていないため、運転中に倒れてゴミが散らばってしまったり、倒れたゴミ箱やゴミがアクセル・ブレーキペダルに挟まる危険性があることから、車内に引っ掛けたレジ袋内にゴミを納め、そのままコンビニエンスストアのゴミ箱に捨てているのが大半である。
【考案の概要】
【考案が解決しようとする課題】
【０００４】
しかし、レジ袋はシフトレバーの様な操作系の突起物に引っ掛けることが多いため、見栄えが悪く、誤操作を招き易い危険性を孕んでいるなど、解決せねばならない課題があった。
【課題を解決するための手段】
【０００５】
本考案は、上記従来技術に基づく、車内にレジ袋を引っ掛けるのは見栄えが悪い等の課題に鑑み、幅狭なケーシングの中央に開閉可能な蓋を有する保冷温ボックスを設け、ケーシング内における保冷温ボックスより前方空間にダストボックスを、その前方下部を支点に往復揺動してケーシングの前面開口部に対し出没自在となる様に収容したダストボックス付保冷温装置を、特にウォークスルータイプの自動車における左右座席間、特に運転席及び助手席間の隙間に設置することによって、低いセンターコンソールの様に配置されて運転中に倒れず、その前面開口部より引き出されたダストボックス内にゴミを納める様にして、上記課題を解決し、更にダストボックスをケーシングに対し着脱自在とすれば、ゴミを納めたダストボックスを外してゴミ箱まで持っていくことも可能になる。
【考案の効果】
【０００６】
要するに本考案は、幅狭なケーシングの中央に開閉可能な蓋を有する保冷温ボックスを設けたので、ウォークスルータイプの自動車における左右座席間に設置することが出来、あまり高くしなければ搭乗者の座席間の移動の妨げにならず常設させることが出来、又ケーシング内における保冷温ボックスより前方空間にダストボックスを、その前方下部を支点に往復揺動してケーシングの前面開口部に対し出没自在となる様に収容したので、飲食後のゴミを目立たない様に納めることが出来、上述の如く座席間に設置すれば、運転中に倒れず、ゴミの散乱を防止することが出来る。
而も、ケーシングに対しダストボックスを着脱自在としたので、ダストボックスをゴミを納めたままの状態で外してゴミ箱まで持っていくことが出来るため、ゴミに手を振れる機会を必要最低限に抑えることが出来ると共に、簡単に洗浄することが出来る等その実用的効果甚だ大である。
【図面の簡単な説明】
【０００７】
【図１】本考案に係るコンソール型ダストボックス付保冷温装置の設置状態を示す平面図である。
【図２】図１のコンソール型ダストボックス付保冷温装置の断面図である。
【図３】ダストボックスを外したコンソール型ダストボックス付保冷温装置の前面要部斜視図である。
【図４】の裏面斜視図である。
【図５（ａ）】ダストボックスの取外し方法の第１段階を示す断面図である。
【図５（ｂ）】ダストボックスの取外し方法の第２段階を示す断面図である。
【図５（ｃ）】ダストボックスの取外し方法の第３段階を示す断面図である。
【考案を実施するための形態】
【０００８】
以下、本考案に係るコンソール型ダストボックス付保冷温装置の実施形態を図面に基づき説明する。
本考案に係るコンソール型ダストボックス付保冷温装置にあっては、図２に示す様に、幅狭なケーシング１の中央に開閉可能な蓋２を有する保冷温ボックス３を設け、ケーシング１内における保冷温ボックス３より前方空間にダストボックス４が、その前方下部を支点に往復揺動してケーシング１の前面開口部５に対し出没自在となる様に収容されている。
以下、具体的に説明する。
【０００９】
上記ダストボックス４にあっては、図２に示す様に、収容状態における前面をケーシング１の前面と面一とし、上面を後方へ傾斜させる、即ち前面板より後面板を低くすると共に両側面板の上端を後方へ傾斜させて、往復揺動時に前面開口部５の上方端縁部に接触させない様にしている。
又、図２、３に示す様に、ケーシング１の裏面で前面開口部５より上方部位に、下端側を前面開口部５の上縁部より下方突出させたストッパー７、7aを一体形成し、該ストッパー７、7aに、前方往揺動するダストボックス４の後方板の上端部内面及び後方復揺動するダストボックス４の前方板の上端部内面が当接する様にしている。
【００１０】
ダストボックス４の揺動支点は、ケーシング１及びダストボックス４の一方に設けた軸部８と、他方に設けた軸受部９とで構成され、具体的にはケーシング１内に軸部８を、ダストボックス４の下面前部に軸受部９を夫々形成している。
上記軸部８にあっては、図２、３に示す様に、ケーシング１の内底面における前面板より後方部位に設けた、ケーシング１の幅方向に長い上方突出板の上端部を外方へ半円状にカールさせて形成している。
上記軸受部９にあっては、図２、４に示す様に、ダストボックス４の下面前部の両側部に一体形成された一対の軸受部材10、10a で構成され、該軸受部材10、10a の下面に、上記軸部８の外径より若干幅広な逆Ｕ字状の切込み11、11a を形成している。
そして、軸部８を軸受部材10、10a の切込み11、11a 内に嵌め込んで、ケーシング１に対しダストボックス４を着脱自在で往復揺動可能に取り付けている。
【００１１】
又、ケーシング１内における保冷温ボックス３より後方空間に、該保冷温ボックス３の保冷温手段12を配備し、該保冷温手段12はシガープラグ付接続コード13により電源を確保する様にし、ケーシング１の後面に設けた切替スイッチ（図示せず）により保温・保冷を切替え可能にしている。
【００１２】
又、ケーシング１における保冷温ボックス３の前後に夫々一対のドリンクホルダー14、14a 、15、15a を形成し、又上記蓋２の上面を、例えばティッシュケースを載置可能に適宜加工しても良い。
【００１３】
次に、本考案に係るコンソール型ダストボックス付保冷温装置の作用について説明する。
図１に示す様に、ウォークスルータイプの自動車における左右座席Ｓ１、Ｓ２の間の隙間Ｈに設置し、シガープラグ付接続コード13を車体側のシガーソケット（図示せず）に接続して使用し、開封した飲物をドリンクホルダー14、14a 、15、15a に載置し、飲み終えたら、ダストボックス４を引き出して納める。
又、未使用時には、蓋２の上面にティッシュケースなどを置いて、通常のセンターコンソールの様にして使用する。
【００１４】
ケーシング１からダストボックス４を取り外す方法の一例としては、先ず図５（ａ）に示す様に、ダストボックス４を少し前に倒した後、図５（ｂ）に示す様に、ダストボックス４を持ち上げて、軸部８から軸受部９（軸受部材10、10a ）を外し、図５（ｃ）に示す様に、ダストボックス４の下部を少し前方に振った後にそのまま引き抜けば、ダストボックス４が完全離脱する。
又、ケーシング１にダストボックス４を取り付ける場合は、上記と逆の手順で行う。
【符号の説明】
【００１５】
１  ケーシング
２  蓋
３  保冷温ボックス
４  ダストボックス
５  前面開口部
【図１】
0003159990.tif 000003
【図２】
0003159990.tif 000004
【図３】
0003159990.tif 000005
【図４】
0003159990.tif 000006
【図５（ａ）】
0003159990.tif 000007
【図５（ｂ）】
0003159990.tif 000008
【図５（ｃ）】
0003159990.tif 000009
【手続補正書】
【提出日】平成22年3月26日(2010.3.26)
【手続補正１】
【補正対象書類名】実用新案登録請求の範囲
【補正対象項目名】全文
【補正方法】変更
【補正の内容】
【実用新案登録請求の範囲】
【請求項１】
幅狭なケーシングの中央に開閉可能な蓋を有する保冷温ボックスを設け、ケーシング内における保冷温ボックスより前方空間にダストボックスを、該ダストボックスの前方下部を支点に往復揺動してケーシングの前面開口部に対し出没自在となる様に収容したことを特徴とするコンソール型ダストボックス付保冷温装置。
【請求項２】
ケーシングに対しダストボックスを着脱自在としたことを特徴とする請求項１記載のコンソール型ダストボックス付保冷温装置。